(57)【特許請求の範囲】
【請求項１】
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
前記関連付けられたジョブのうちの一のジョブに設定された印刷条件に連動して他のジョブの印刷条件を設定する手段と、
を備える画像形成装置。
【請求項２】
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
操作手段と、
表示手段と、を備え、
前記制御手段は、前記ジョブ保存手段に保存されたジョブの一覧を前記表示手段に表示させ、前記ジョブの一覧から前記操作手段によりジョブが選択されると、前記選択されたジョブに関連付けられたジョブを識別可能に前記表示手段に表示させるとともに、前記選択されたジョブに関連付けられたジョブを、前記操作手段からの指示に応じて前記印刷手段にまとめて印刷させる画像形成装置。
【請求項３】
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
操作手段と、
表示手段と、を備え、
前記制御手段は、前記ジョブ保存手段に保存されたジョブの一覧を前記表示手段に表示させ、前記ジョブの一覧から前記操作手段によりジョブが選択されると、前記選択されたジョブに関連付けられたジョブを識別可能に前記表示手段に表示させるとともに、前記新規に入力されたジョブ又は前記ジョブ保存手段に保存されたジョブに基づく印刷時に、前記ジョブに関連付けられたジョブの印刷を促す表示を前記表示手段に表示させる画像形成装置。
【請求項４】
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
操作手段と、
表示手段と、を備え、
前記制御手段は、前記ジョブ保存手段に保存されたジョブの一覧を前記表示手段に表示させ、前記ジョブの一覧から前記操作手段によりジョブが選択されると、前記選択されたジョブに関連付けられたジョブを識別可能に前記表示手段に表示させるとともに、前記操作手段により前記ジョブ保存手段に保存された何れかのジョブの削除が指示された場合、当該削除対象のジョブに関連付けられたジョブがある場合には、警告を出力する画像形成装置。
【請求項５】
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
を備え、
前記画像形成装置は、システム構成の変更が可能に構成され、
前記リンク設定手段は、第１のシステム構成で印刷可能なジョブと第２のシステム構成で印刷可能なジョブとを関連付ける画像形成装置。
【請求項６】
前記制御手段は、前記第１のシステム構成から前記第２のシステム構成に変更されたとき、前記第２のシステム構成で印刷可能なジョブのうち、そのジョブに関連付けられている前記第１のシステム構成で印刷可能な全てのジョブの印刷が完了しているジョブの印刷を促す表示を表示手段に表示させる請求項５に記載の画像形成装置。
【請求項７】
前記第１のシステム構成は、封筒用定着器を装着したシステムであり、前記第２のシステム構成は、封筒とは異なる用紙用の定着器を装着したシステムである請求項５又は６に記載の画像形成装置。
【請求項８】
封筒を印刷する封筒ジョブの印刷枚数と、封筒の中身を印刷する中身ジョブの部数を一致させて設定する手段を有する請求項７に記載の画像形成装置。
【請求項９】
前記制御手段は、前記関連付けられたジョブをまとめて前記印刷手段により印刷させる請求項１、３〜８の何れか一項に記載の画像形成装置。
【請求項１０】
前記制御手段は、前記選択されたジョブに関連付けられたジョブの印刷状況を前記表示手段に表示させる請求項２〜４、６の何れか一項に記載の画像形成装置。
【請求項１１】
前記記憶手段は、複数のリンク情報を記憶する請求項１〜１０の何れか一項に記載の画像形成装置。
【請求項１２】
前記関連付けられたジョブに対し個々に独立して印刷条件を設定する設定手段を備える請求項１〜１１の何れか一項に記載の画像形成装置。
【請求項１３】
前記関連付けられたジョブのうちの一のジョブに設定された印刷条件に連動して他のジョブの印刷条件を設定する手段を有する請求項１〜１１の何れか一項に記載の画像形成装置。
【発明の詳細な説明】
【技術分野】
【０００１】
本発明は、画像形成装置に関する。
【背景技術】
【０００２】
従来、封筒とは異なる一般的なシート状の用紙に印刷を行う際に使用する通常定着器と、封筒に印刷を行う際に使用する封筒定着器とが着脱可能に構成された画像形成装置が知られている。
【０００３】
封筒への印刷を行う場合、封筒だけでなく、封筒に入れる中身の文書もセットで印刷することが想定される。封筒と中身をセットで印刷するためには、封筒定着器と通常定着器の交換を伴うため、必ず封筒に印刷を行う封筒ジョブと、封筒とは異なる用紙に中身の文書を印刷する中身ジョブの２つのジョブが必要であり、ユーザーはこの封筒ジョブと中身ジョブの印刷の進捗状況を個別に管理する必要がある。
【０００４】
ジョブの印刷の完了をユーザーが容易に把握できるようにするための技術として、例えば、特許文献１には、ジョブが完了すると印刷画像のサムネイル画像を添付したジョブエンドシートを作成し出力することが記載されている。
【先行技術文献】
【特許文献】
【０００５】
【特許文献１】特開２００６−５３７８４号公報
【発明の概要】
【発明が解決しようとする課題】
【０００６】
しかしながら、定着器の交換が可能な画像形成装置では、一般的に、装着されている定着器で印刷可能なジョブが全て完了してから、定着器を交換し、残りのジョブを印刷することとなる。そのため、例えば、封筒ジョブと中身ジョブのような定着器の交換を必須とする複数のジョブをセットで印刷する場合、セットに係るジョブの間に他のジョブや定着器の交換作業が実施されることとなり、特許文献１に記載の技術では、ユーザーは、セット印刷に係るジョブの印刷状況や詳細を把握しづらいという問題がある。
【０００７】
また、ジョブ結合やビルドジョブのように複数のジョブを１つのジョブに結合する場合、各々のジョブの印刷条件設定も１つに統一されてしまい、各々の印刷条件設定を保持できないという問題がある。
【０００８】
本発明の課題は、複数のジョブを関連するジョブとして容易に管理できるようにすることである。
【課題を解決するための手段】
【０００９】
上記課題を解決するため、請求項１に記載の発明は、
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
前記関連付けられたジョブのうちの一のジョブに設定された印刷条件に連動して他のジョブの印刷条件を設定する手段と、
を備える。
【００１０】
請求項２に記載の発明は、
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
操作手段と、
表示手段と、を備え、
前記制御手段は、前記ジョブ保存手段に保存されたジョブの一覧を前記表示手段に表示させ、前記ジョブの一覧から前記操作手段によりジョブが選択されると、前記選択されたジョブに関連付けられたジョブを識別可能に前記表示手段に表示させるとともに、前記選択されたジョブに関連付けられたジョブを、前記操作手段からの指示に応じて前記印刷手段にまとめて印刷させる。
【００１１】
請求項３に記載の発明は、
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
操作手段と、
表示手段と、を備え、
前記制御手段は、前記ジョブ保存手段に保存されたジョブの一覧を前記表示手段に表示させ、前記ジョブの一覧から前記操作手段によりジョブが選択されると、前記選択されたジョブに関連付けられたジョブを識別可能に前記表示手段に表示させるとともに、前記新規に入力されたジョブ又は前記ジョブ保存手段に保存されたジョブに基づく印刷時に、前記ジョブに関連付けられたジョブの印刷を促す表示を前記表示手段に表示させる。
【００１２】
請求項４に記載の発明は、
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
操作手段と、
表示手段と、を備え、
前記制御手段は、前記ジョブ保存手段に保存されたジョブの一覧を前記表示手段に表示させ、前記ジョブの一覧から前記操作手段によりジョブが選択されると、前記選択されたジョブに関連付けられたジョブを識別可能に前記表示手段に表示させるとともに、前記操作手段により前記ジョブ保存手段に保存された何れかのジョブの削除が指示された場合、当該削除対象のジョブに関連付けられたジョブがある場合には、警告を出力する。
【００１３】
請求項５に記載の発明は、
ジョブに基づいて印刷を行う印刷手段を備える画像形成装置において、
ジョブを入力するジョブ入力手段と、
前記ジョブ入力手段により入力されたジョブを保存するジョブ保存手段と、
前記ジョブ入力手段により新規入力されるジョブと前記ジョブ保存手段に保存されているジョブ、又は前記ジョブ保存手段に保存されているジョブ同士を個々に独立したジョブのまま互いに関連付けるリンク設定手段と、
前記リンク設定手段により設定されたジョブの関連付けを示すリンク情報を記憶する記憶手段と、
前記記憶手段に記憶されたリンク情報に基づいて所定の動作制御を行う制御手段と、
を備え、
前記画像形成装置は、システム構成の変更が可能に構成され、
前記リンク設定手段は、第１のシステム構成で印刷可能なジョブと第２のシステム構成で印刷可能なジョブとを関連付ける。
【００１４】
請求項６に記載の発明は、請求項５に記載の発明において、
前記制御手段は、前記第１のシステム構成から前記第２のシステム構成に変更されたとき、前記第２のシステム構成で印刷可能なジョブのうち、そのジョブに関連付けられている前記第１のシステム構成で印刷可能な全てのジョブの印刷が完了しているジョブの印刷を促す表示を表示手段に表示させる。
【００１５】
請求項７に記載の発明は、請求項５又は６に記載の発明において、
前記第１のシステム構成は、封筒用定着器を装着したシステムであり、前記第２のシステム構成は、封筒とは異なる用紙用の定着器を装着したシステムである。
【００１６】
請求項８に記載の発明は、請求項７に記載の発明において、
封筒を印刷する封筒ジョブの印刷枚数と、封筒の中身を印刷する中身ジョブの部数を一致させて設定する手段を有する。
【００１７】
請求項９に記載の発明は、請求項１、３〜８の何れか一項に記載の発明において、
前記制御手段は、前記関連付けられたジョブをまとめて前記印刷手段により印刷させる。
【００１８】
請求項１０に記載の発明は、請求項２〜４、６の何れか一項に記載の発明において、
前記制御手段は、前記選択されたジョブに関連付けられたジョブの印刷状況を前記表示手段に表示させる。
【００１９】
請求項１１に記載の発明は、請求項１〜１０の何れか一項に記載の発明において、
前記記憶手段は、複数のリンク情報を記憶する。
【００２０】
請求項１２に記載の発明は、請求項１〜１１の何れか一項に記載の発明において、
前記関連付けられたジョブに対し個々に独立して印刷条件を設定する設定手段を備える。
【００２１】
請求項１３に記載の発明は、請求項１〜１１の何れか一項に記載の発明において、
前記関連付けられたジョブのうちの一のジョブに設定された印刷条件に連動して他のジョブの印刷条件を設定する手段を有する。
【発明の効果】
【００２３】
本発明によれば、複数のジョブを関連するジョブとして容易に管理することが可能となる。
【図面の簡単な説明】
【００２４】
【図１】画像形成装置の機能的構成を示すブロック図である。
【図２】プリント部の概略構成例を示す図である。
【図３】図１の制御部により実行されるジョブ新規登録処理を示すフローチャートである。
【図４】コピー設定画面の一例を示す図である。
【図５】図１の制御部により実行されるコピー時リンク処理を示すフローチャートである。
【図６】一時保存ジョブリスト画面の一例を示す図である。
【図７】リンク設定テーブルの一例を示す図である。
【図８】図１の制御部により実行される封筒ジョブ枚数と中身ジョブ部数の連動処理を示すフローチャートである。
【図９ａ】図８のステップＳ１００１で表示される一時保存ジョブリスト画面の一例を示す図である。
【図９ｂ】図８のステップＳ１００５において表示される警告画面の一例を示す図である。
【図１０】入力された封筒ジョブに対し中身ジョブとのリンクを設定するか否かを問い合わせる問い合わせ画面の一例を示す図である。
【図１１】図１の制御部により実行される予約ジョブ登録処理を示すフローチャートである。
【図１２ａ】図１の制御部により実行される保存ジョブ操作処理を示すフローチャートである。
【図１２ｂ】図１の制御部により実行される保存ジョブ操作処理を示すフローチャートである。
【図１３ａ】図１２ａのステップＳ２１で表示される一時保存ジョブリスト画面の一例を示す図である。
【図１３ｂ】図１２ａのステップＳ２７で詳細表示操作がなされた場合に、何れのジョブの詳細を表示するかをユーザーに問い合わせるためのポップアップ画面の一例を示す図である。
【図１４】図１の制御部により実行される印刷処理を示すフローチャートである。
【図１５】図１の制御部により実行されるポップアップ操作処理を示すフローチャートである。
【図１６】印刷完了時に表示されるポップアップ画面の一例を示す図である。
【図１７】図１の制御部により実行される定着ユニット交換処理を示すフローチャートである。
【図１８】定着器の交換が検知された際に表示される問い合わせ画面の一例を示す図である。
【発明を実施するための形態】
【００２５】
本発明の実施形態における画像形成装置の構成及び動作について、図面を用いて詳細に説明する。なお、本発明の実施の形態ではカラーの画像形成装置１を例に挙げて説明するが、本発明はこれに限らず、例えばモノクロの画像形成装置によっても本発明を実現することは可能である。
【００２６】
（画像形成装置１の構成）
以下、図を参照して本発明の実施の形態を詳細に説明する。
まず、構成を説明する。
図１に、本実施の形態における画像形成装置１の概略構成図を示す。
図１に示すように、画像形成装置１は、本体部１ａとプリンタコントローラー１ｂとから構成されている。画像形成装置１は、プリンタコントローラー１ｂのＬＡＮＩＦ（Local Area Network InterFace）１４を介してネットワーク３上の外部装置２と相互に情報の送受信が可能に接続されている。
【００２７】
本体部１ａは、画像読取部２０、操作表示部３０、プリント部４０、画像制御基板１００を備えて構成される。
【００２８】
画像読取部２０は、スキャナー２１、画像読取制御部２００等から構成される。スキャナー２１は、ＡＤＦ（Auto Document Feeder）、イメージセンサー等を備える。画像読取制御部２００は、制御部１１０からの指示に基づいてスキャナー２１を制御して、原稿の画像を読み取り、読み取られたアナログ画像信号を読取処理部１４０に出力する。ここで、画像とは、図形や写真等のイメージデータに限らず、文字や記号等のテキストデータ等も含む意である。
【００２９】
操作表示部３０は、表示部３１、操作部３２、操作表示制御部３００から構成される。
操作表示制御部３００は、制御部１１０から入力される表示信号に従って、ジョブに対する印刷条件の設定等を入力するための各種画面や各種処理結果等をＬＣＤ（Liquid Crystal Display）等から構成される表示部３１に表示させる。また、操作表示制御部３００は、各種スイッチやボタン、テンキー、操作キー群又はタッチパネルを備える操作部３２から入力される操作信号を制御部１１０に出力する。
【００３０】
プリント部４０は、入力された画像データに基づいて、電子写真方式で印刷を行う印刷手段であり、プリンタエンジン４１やプリント制御部４００を備えて構成される。
プリント制御部４００は、制御部１１０からの制御信号を受信して、プリンタエンジン４１の各部の動作を制御する。
【００３１】
図２に、プリンタエンジン４１の要部構成を示す。図２に示すように、プリンタエンジン４１は、書込処理部１９０により入力された画像データに基づき感光体ドラム５１Ｙ、５１Ｍ、５１Ｃ、５１Ｋにレーザを露光して感光体ドラム上に潜像を書き込む光学ユニット４０Ｙ、４０Ｍ、４０Ｃ、４０Ｋと、Ｙ、Ｍ、Ｃ、Ｋの各色のトナー像を形成する画像形成ユニット５０Ｙ、５０Ｍ、５０Ｃ、５０Ｋと、画像形成ユニット５０Ｙ、５０Ｍ、５０Ｃ、５０Ｋで形成されたトナー像が一時転写される中間転写体としての中間転写ベルト５６と、用紙を中間転写ベルト５６に形成されたトナー像と同期をとって２次転写ローラー５９に搬送するレジストローラー５８と、用紙上に中間転写ベルト５６上に形成されたトナー像を２次転写する２次転写ローラー５９と、用紙上にトナー像を定着させる定着ユニット６３と、用紙を排紙する排紙ローラー６１と、を含んで構成されている。各部の符号のＹ、Ｍ、Ｃ、Ｋは、それぞれ順にイエロー色、マゼンタ色、シアン色、黒色を表すものとする。
【００３２】
画像形成ユニット５０Ｙは、感光体ドラム５１Ｙと、現像器５２Ｙと、帯電器５３Ｙと、クリーナ５４Ｙと、１次転写ローラー５５Ｙとを備えて構成されている。画像形成ユニット５０Ｍ、５０Ｃ、５０Ｋも同様である。
【００３３】
ここで、プリンタエンジン４１におけるプリント動作について説明する。まず、画像形成ユニット５０Ｙにおいて、感光体ドラム５１Ｙが回転し、その表面が帯電器５３Ｙにより帯電され、光学ユニット４０Ｙのレーザ光源の露光によりその帯電部分にＹデータの画像の潜像が形成される。そして、現像器５２Ｙによりその潜像部分が現像されイエローのトナー像が形成される。そのトナー像は１次転写ローラー５５Ｙの圧接により中間転写ベルト５６に一次転写される。トナー像は、出力対象の画像データに対応するイエローの像となる。一次転写されなかったトナーは、クリーナ５４Ｙにより除去される。
【００３４】
画像形成ユニット５０Ｍ、５０Ｃ、５０Ｋについても同様に、マゼンダのトナー像、シアンのトナー像、黒のトナー像がそれぞれ同様に形成及び転写される。ローラー５７、１次転写ローラー５５Ｙ、５５Ｍ、５５Ｃ、５５Ｋ、２次転写ローラー５９の回転により、中間転写ベルト５６も回動され、ＹＭＣＫのトナー像が中間転写ベルト５６上に順に重ねられて転写される。また、給紙ローラー６８Ａ〜６８Ｃ、６９の何れかの回動により給紙トレイ６６Ａ〜６６Ｄの何れかから用紙が１枚ずつ搬送され、レジストローラー５８の回転により２次転写ローラー５９へ搬送される。
【００３５】
２次転写ローラー５９の圧接部を用紙が通過する時に、中間転写ベルト５６上のＹＭＣＫのトナー像が用紙に二次転写される。ＹＭＣＫのトナー像が転写された用紙は、定着ユニット６３を通過する。定着ユニット６３の加圧及び加熱により、ＹＭＣＫのトナー像が用紙上に定着されてカラーのトナー像が形成される。画像形成された用紙は、排紙ローラー６１により排出される。
【００３６】
用紙への画像形成後、ベルトクリーニング６２により、中間転写ベルト５６上に残留したトナーが除去される。また、２次転写ローラー５９に対して、図示しない電源からプラス極性の電流及びマイナス極性の電流を交互に切り換えて所定時間流すことにより、２次転写ローラー５９に残留したトナーが中間転写ベルト５６に再転写され、２次転写ローラー５９のクリーニングが行われる。
【００３７】
ここで、定着ユニット６３は、画像形成装置１に着脱可能に構成されている。定着ユニット６３としては、第１の定着ユニット６３１と、第２の定着ユニット６３２の２種類があり、何れか一方が画像形成装置１に装着される。第１の定着ユニット６３１は、封筒以外の用紙への印刷時に使用するための定着ユニット（通常定着器）である。第２の定着ユニット６３２は、封筒への印刷時に使用するための専用の定着ユニット（封筒定着器）である。第２の定着ユニット６３２は、例えば、定着ローラーの厚みを薄くしてシワが起こりにくくする等、封筒に特化した構成となっているため、封筒以外の用紙の定着に用いるとダメージが大きく、コストも高くなる。そのため、第２の定着ユニット６３２は封筒用の印刷に、第１の定着ユニット６３１は封筒とは異なる用紙の定着に専用に用いられる。
なお、第１の定着ユニット６３１を装着したときの画像形成装置１のシステム構成を第１のシステム構成、第２の定着ユニット６３２を装着したときの画像形成装置１のシステム構成を第２のシステム構成と呼ぶ。
【００３８】
プリンタエンジン４１における定着ユニット６３の装着部には、装着された定着ユニット６３の種類を識別するユニット識別部としてのポート６３ａが設けられている。例えば、第１の定着ユニット６３１が装着されるとポート６３ａを介してプリント制御部４００に定着ユニット識別信号としてHIGH信号が出力される。第２の定着ユニット６３２が装着されるとポート６３ａを介してプリント制御部４００に定着ユニット識別信号としてLOW信号が出力される。プリント制御部４００は、この定着ユニット識別信号に基づいて、画像形成装置１のシステム構成を認識することが可能となっている。
なお、特に図示はしていないが、印刷された用紙に対し部単位で後処理（例えば、ソート、ステープル、綴じ、くるみ製本等）を施す後処理装置が接続されている構成としてもよい。
【００３９】
画像制御基板１００は、制御部１１０、不揮発メモリー１２１、ＲＡＭ（Random Access Memory）１２２、ＨＤＤ１３０、読取処理部１４０、圧縮ＩＣ１５０、ＤＲＡＭ（Dynamic Random Access Memory）制御ＩＣ１６０、画像メモリー１７０、伸張ＩＣ１８０、書込処理部１９０等を備える。
【００４０】
制御部１１０は、ＣＰＵ（Central Processing Unit）等から構成され、不揮発メモリー１２１に格納されているシステムプログラム及び各種アプリケーションプログラムの中から指定されたプログラムを読み出してＲＡＭ１２２に展開し、ＲＡＭ１２２に展開されたプログラムとの協働で、各種処理を実行し、画像形成装置１の各部を集中制御する。
【００４１】
例えば、制御部１１０は、後述するジョブ新規登録処理、保存ジョブ操作処理、印刷処理、定着ユニット交換処理を実行することにより、ジョブ入力手段、リンク設定手段、制御手段、設定手段、としての機能を実現する。
【００４２】
不揮発メモリー１２１は、制御部１１０で実行可能な各種処理プログラム及び各種データを記憶する。
【００４３】
ＲＡＭ１２２は、制御部１１０により実行される各種プログラム及びこれらプログラムに係る各種データ等を一時的に記憶するワークエリアを形成する。
例えば、ＲＡＭ１２２には、後述するリンク設定テーブル１２２ａや、給紙トレイ設定情報が記憶される。給紙トレイ設定情報は、各給紙トレイに装着されている用紙種類の情報である。なお、用紙種類には、用紙のサイズを含む。
また、ＲＡＭ１２２は、登録された予約ジョブを記憶するための予約ジョブ領域、一時保存が指示されたジョブ又はリンク設定されたジョブを保存する一時保存ジョブ領域を有する。ジョブは、画像データと、その画像データに基づき印刷を行う際の印刷条件の設定情報により構成される。ジョブに基づきプリント部４０で印刷を行うことをジョブを実行する、又は、ジョブを印刷するという。
即ち、ＲＡＭ１２２は、ジョブ保存手段、記憶手段として機能する。
【００４４】
ＨＤＤ（Hard Disk Drive）１３０は、制御部１１０からの制御に基づいてジョブの保存及び読み出しを行う。
【００４５】
読取処理部１４０は、画像読取部２０から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００４６】
圧縮ＩＣ１５０は、入力されたデジタル画像データに圧縮処理を施してＤＲＡＭ制御ＩＣ１６０に出力する。
【００４７】
ＤＲＡＭ制御ＩＣ１６０は、制御部１１０からの指示に従って、圧縮ＩＣ１５０による画像データの圧縮処理及び伸張ＩＣ１８０による圧縮画像データの伸張処理を制御するとともに、画像メモリー１７０への画像データの入出力制御を行う。
【００４８】
例えば、ＤＲＡＭ制御ＩＣ１６０は、画像読取部２０により読み取られた画像信号の保存指示が制御部１１０から入力されると、読取処理部１４０に入力された画像データの圧縮処理を圧縮ＩＣ１５０により実行させて、圧縮画像データを画像メモリー１７０の圧縮メモリー１７１に格納させる。また、ＤＲＡＭ制御ＩＣ１６０は、圧縮メモリー１７１に格納された圧縮画像データのプリント出力指示が制御部１１０から入力されると、圧縮メモリー１７１から圧縮画像データを読み出し、伸張ＩＣ１８０により伸張処理を施してページメモリー１７２に格納させる。さらに、ページメモリー１７２に格納された画像データのプリント出力指示が入力されると、ページメモリー１７２から画像データを読み出して書込処理部１９０に出力する。
【００４９】
画像メモリー１７０は、ＤＲＡＭ（Dynamic RAM）から構成される圧縮メモリー１７１とページメモリー１７２とを備える。圧縮メモリー１７１は、圧縮画像データを格納するためのメモリーであり、ページメモリー１７２は、プリント出力用の画像データを一時的に格納するためのメモリーである。
伸張ＩＣ１８０は、圧縮画像データに伸張処理を施して書込処理部１９０に出力する。
【００５０】
書込処理部１９０は、伸長処理されたデジタル画像データをプリンタエンジン４１に出力する。
【００５１】
次に、プリンタコントローラー１ｂの各部について説明する。プリンタコントローラー１ｂは、画像形成装置１をネットワークプリンタとして使用する場合に、ネットワーク３に接続される外部装置２から画像形成装置１に入力されるデータの管理及び制御を行うものである。
【００５２】
プリンタコントローラー１ｂは、コントローラー制御部１１、ＤＲＡＭ制御ＩＣ１２、画像メモリー１３、ＬＡＮＩＦ１４から構成される。
【００５３】
コントローラー制御部１１は、プリンタコントローラー１ｂ各部の動作を統括的に制御し、ＬＡＮＩＦ１４を介して外部装置２から入力されるプリント対象データの言語解析及びラスタライズ処理を行って、ジョブにおける画像形成条件を示すジョブデータと画像データを生成して本体部１ａへ送信する。
【００５４】
ＤＲＡＭ制御ＩＣ１２は、ＬＡＮＩＦ１４により受信されたデータの画像メモリー１３への格納や、画像メモリー１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラー制御部１１からの指示に従って、プリント対象のデータに基づいて生成されたジョブデータ及び画像データを画像メモリー１３から読み出してＤＲＡＭ制御ＩＣ１６０に出力する。
【００５５】
画像メモリー１３は、ＤＲＡＭから構成され、入力されたデータを一時的に格納する。
【００５６】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００５７】
（画像形成装置１の動作）
次に、本実施の形態の動作を説明する。
本実施の形態の画像形成装置１においては、以下に示すジョブ新規登録処理において、新規に入力されるジョブに対し、ＲＡＭ１２２の一時保存ジョブ領域に一時保存されている他のジョブとのリンク（関連付け）を設定することが可能であり、また、保存ジョブ操作処理において、一時保存されているジョブ同士にリンクを設定することが可能である。
【００５８】
〔ジョブ新規登録処理〕
図３に、画像形成装置１において実行されるジョブ新規登録処理のフローチャートを示す。ジョブ新規登録処理は、コピーモードでの動作時に、操作部３２の操作に応じて制御部１１０と不揮発メモリー１２１に記憶されているプログラムとの協働により実行される。
【００５９】
まず、表示部３１に、コピー設定画面３１１が表示される（ステップＳ１）。
図４に、コピー設定画面３１１の一例を示す。コピー設定画面３１１は、これから新規に入力するジョブに関する各種設定を行うための画面である。図４に示すように、コピー設定画面３１１には、例えば、「原稿設定」「画質調整」「倍率設定」「片面／両面」「出力設定」「カラー設定」「用紙設定」等の、ジョブの印刷条件の設定を入力するための操作ボタンが表示されている。また、コピー設定画面３１１は、リンクボタン３１１ａ、一時保存設定ボタン３１１ｂ等が設けられている。リンクボタン３１１ａは、これから新規に入力するジョブに対して他のジョブとのリンクの設定を指示するためのボタンである。リンクを設定するとは、ジョブ同士を個々に独立したジョブのまま互いに関連付けることをいう。一時保存設定ボタン３１１ｂは、新規に入力するジョブの一時保存を指示するためのボタンである。
【００６０】
次いで、コピー設定画面３１１において、操作部３２によりリンクボタン３１１ａが操作されたか否かが判断される（ステップＳ２）。リンクボタン３１１ａが操作されていないと判断されると（ステップＳ２；ＮＯ）、処理はステップＳ４に移行する。リンクボタン３１１ａが操作されたと判断されると（ステップＳ２；ＹＥＳ）、コピー時リンク設定処理が実行される（ステップＳ３）。
【００６１】
図５に、図３のステップＳ３において実行されるコピー時リンク設定処理の一例を示す。コピー時リンク設定処理は、制御部１１０と不揮発メモリー１２１に記憶されているプログラムとの協働により実行される。
【００６２】
まず、表示部３１に一時保存ジョブリスト画面３１２が表示される（ステップＳ１００）。
図６に、一時保存ジョブリスト画面３１２の一例を示す。図６に示すように、一時保存ジョブリスト画面３１２には、ジョブ一覧表示欄３１２ａ、選択ジョブ詳細表示欄３１２ｂ、詳細表示ボタン３１２ｃ、リンク設定ボタン３１２ｄ等が設けられている。
ジョブ一覧表示欄３１２ａには、ＲＡＭ１２２の一時保存ジョブ領域に一時保存されているジョブの一覧が表示される領域である。選択ジョブ詳細表示欄３１２ｂには、ジョブ一覧表示欄３１２ａから選択されたジョブの詳細情報が表示される領域である。詳細表示ボタン３１２ｃは、選択されたジョブの詳細表示を指示するためのボタンである。リンク設定ボタン３１２ｄは、リンク設定の確定を指示するためのボタンである。
【００６３】
一時保存ジョブリスト画面３１２のジョブ一覧表示欄３１２ａにおいて操作部３２によりジョブが選択されたか否かが判断される（ステップＳ１０１）。ジョブが選択されていないと判断されると（ステップＳ１０１；ＮＯ）、処理はステップＳ１０５に移行する。
【００６４】
一方、ステップＳ１０１において、ジョブが選択されたと判断されると（ステップＳ１０１；ＹＥＳ）、選択されたジョブの表示が選択状態（反転表示）とされ（ステップＳ１０２）、この選択されたジョブにリンクが設定されているか否かが判断される（ステップＳ１０３）。ここで、ＲＡＭ１２２には、図７に示すリンク設定テーブル１２２ａが記憶されている。図７に示すように、リンク設定テーブル１２２ａは、ジョブを識別するためのジョブＩＤ（ＪＯＢ  ＩＤ）に、そのジョブのステータス（印刷済みであるか）、及びそのジョブとのリンクが設定されているジョブ（リンク対象ジョブ）の情報が対応付けて記憶するテーブルである。ステップＳ１０３では、このリンク設定テーブル１２２ａを参照することにより、選択されたジョブにリンクが設定されているか否かを判断することができる。
【００６５】
選択されたジョブにリンクが設定されていないと判断されると（ステップＳ１０３；ＮＯ）、処理はステップＳ１０５に移行する。選択されたジョブにリンクが設定されていると判断されると（ステップＳ１０３；ＹＥＳ）、ジョブ一覧表示欄３１２ａにおいて、リンク対象ジョブが併せて選択状態とされ（ステップＳ１０４）、処理はステップＳ１０５に移行する。ステップＳ１０４により、選択されたジョブにリンク設定されているジョブをユーザーが容易に識別することが可能となる。
【００６６】
ステップＳ１０５においては、操作部３２により詳細表示ボタン３１２ｃが操作されたか否かが判断される（ステップＳ１０５）。操作部３２により詳細表示ボタン３１２ｃが操作されていないと判断されると（ステップＳ１０５；ＮＯ）、処理はステップＳ１０７に移行する。操作部３２により詳細表示ボタン３１２ｃが操作されたと判断されると（ステップＳ１０５；ＹＥＳ）、選択されたジョブの設定、ページ構成、印刷状況等の詳細が選択ジョブ詳細表示欄３１２ｂに表示され（ステップＳ１０６）、処理はステップＳ１０７に移行する。なお、複数のジョブが選択状態となっている場合には、選択状態のジョブのＩＤが表示されたポップアップ画面（図１０参照）が一時保存ジョブリスト画面３１２上に表示され、表示されたジョブＩＤのうち、選択されたジョブＩＤのジョブの詳細情報が選択ジョブ詳細表示欄３１２ｂに表示される。
【００６７】
ステップＳ１０７においては、操作部３２によりリンク設定ボタン３１２ｄが操作されたか否かが判断される（ステップＳ１０７）。リンク設定ボタン３１２ｄが操作されていないと判断されると（ステップＳ１０７；ＮＯ）、処理はステップＳ１０１に戻る。リンク設定ボタン３１２ｄが操作されたと判断されると（ステップＳ１０７；ＹＥＳ）、選択状態のジョブが新規に入力するジョブのリンク対象ジョブとしてＲＡＭ１２２に一時的に記憶される（ステップＳ１０８）。なお、ステップＳ１０８においては、まだリンク設定テーブル１２２ａへの登録は行わない。
【００６８】
次いで、封筒ジョブと中身ジョブがリンク設定されたか否かが判断される（ステップＳ１０９）。例えば、新規に入力するジョブ又はリンク対象ジョブに用紙種類として封筒が設定されており（封筒が装填されているトレイが給紙トレイとして選択されており）、他方に封筒とは異なる用紙種類が設定されている（又は、封筒以外の用紙が装填されているトレイが給紙トレイとして選択されている）場合、封筒ジョブと中身ジョブがリンク設定されたと判断される。
【００６９】
封筒ジョブと中身ジョブがリンク設定されていないと判断された場合（ステップＳ１０９；ＮＯ）、表示部３１の表示がコピー設定画面３１１に戻り（ステップＳ１１１）、処理は図３のステップＳ４に移行する。
【００７０】
封筒ジョブと中身ジョブがリンク設定されていると判断されると（ステップＳ１０９；ＹＥＳ）、封筒ジョブ枚数と中身ジョブ部数の連動処理が実行される（ステップＳ１１０）。
図８に、封筒ジョブ枚数と中身ジョブ部数の連動処理のフローチャートを示す。本処理は、制御部１１０と不揮発メモリー１２１に記憶されているプログラムとの協働により実行される。
【００７１】
まず、一時保存ジョブリスト画面３１２に封筒ジョブ枚数優先ボタンと中身ジョブ部数優先ボタンが表示される（ステップＳ１００１）。図９ａに、ステップＳ１００１で表示される一時保存ジョブリスト画面３１２の一例を示す。図９ａに示すように、ステップＳ１００１においては、封筒ジョブ枚数優先ボタン３１２ｅと中身ジョブ部数優先ボタン３１２ｆが表示される。封筒ジョブ枚数優先ボタン３１２ｅは、封筒ジョブの１部分の出力枚数に中身ジョブの部数を合わせることを指示するためのボタンである。中身ジョブ部数優先ボタン３１２ｆは、中身ジョブの部数に封筒ジョブの枚数を合わせることを指示するためのボタンである。
【００７２】
次いで、リンク設定された封筒ジョブの出力枚数と中身ジョブの部数に差異があるか否かが判断される（ステップＳ１００２）。リンクされた封筒ジョブの出力枚数と中身ジョブの部数に差異がないと判断されると（ステップＳ１００２；ＮＯ）、処理は図５のステップＳ１１１に移行する。
【００７３】
リンク設定された封筒ジョブの出力枚数と中身ジョブの部数に差異があると判断されると（ステップＳ１００２；ＹＥＳ）、操作部３２により封筒ジョブ枚数優先ボタン３１２ｅが選択されたか否かが判断される（ステップＳ１００３）。操作部３２により封筒ジョブ枚数優先ボタン３１２ｅが選択されたと判断されると（ステップＳ１００３；ＹＥＳ）、中身ジョブの部数が封筒ジョブの１部分の出力枚数に変更され（ステップＳ１００４）、処理は図５のステップＳ１１１に移行する。
【００７４】
一方、操作部３２により封筒ジョブ枚数優先ボタン３１２ｅではなく、中身ジョブ枚数優先ボタン３１２ｆが選択されたと判断されると（ステップＳ１００３；ＮＯ）、表示部３１に、封筒ジョブの出力枚数が中身ジョブの部数と異なる旨を示す警告画面３１２ｇがポップアップ表示される（ステップＳ１００５）。図９ｂに、ステップＳ１００５において表示部３１に表示される警告画面３１２ｇの一例を示す。封筒ジョブには宛名が存在するため、封筒の出力枚数は自動的に中身ジョブの部数に合わせることができない。そのため、中身ジョブ枚数優先ボタン３１２ｆが選択された場合には、ユーザーに設定の確認が促される。
【００７５】
操作部３２により「閉じる」ボタン３１２ｈが押下され、警告画面３１２ｇを閉じる指示が入力されると（ステップＳ１００６；ＹＥＳ）、警告画面３１２ｇは閉じられ（ステップＳ１００７）、処理は図５のステップＳ１１１に移行する。
この封筒ジョブと中身ジョブのリンク設定処理により、封筒ジョブの出力枚数と中身ジョブの部数とを連動させることができる。
【００７６】
図５のステップＳ１１１においては、表示部３１の表示がコピー設定画面に戻り、処理は図３のステップＳ４に移行する。
【００７７】
図３のステップＳ４においては、操作部３２によりコピー設定画面３１１からコピージョブに係る設定操作がなされたか否かが判断される（ステップＳ４）。操作部３２によりコピー設定画面３１１からコピージョブに係る設定操作がなされていないと判断されると（ステップＳ４；ＮＯ）、処理はステップＳ１２に移行する。
【００７８】
操作部３２によりコピー設定画面３１１からコピージョブに係る設定操作がなされたと判断されると（ステップＳ４；ＹＥＳ）、その操作がジョブ保存設定操作であるか否かが判断される（ステップＳ５）。その操作がジョブ保存設定操作である（操作部３２により一時保存設定ボタン３１１ｂが押下された）と判断されると（ステップＳ５；ＹＥＳ）、今回新規に入力されるジョブに保存フラグ＝１が設定され（ＲＡＭ１２２にその旨が記憶され）（ステップＳ６）、処理はステップＳ１２に移行する。
【００７９】
一方、操作部３２による操作がジョブ保存設定操作ではないと判断されると（ステップＳ５；ＮＯ）、操作に応じた設定内容が新規に入力されるジョブの印刷条件の設定情報としてＲＡＭ１２２に一時的に記憶される（ステップＳ７）。次いで、封筒ジョブが新規に設定されたか否かが判断される（ステップＳ８）。具体的には、給紙トレイ選択ボタン群３１１ｃから封筒が装填された給紙トレイが選択された場合、封筒ジョブが設定されたと判断される。封筒ジョブが新規に設定されていないと判断されると（ステップＳ８；ＮＯ）、処理はステップＳ１２に移行する。封筒ジョブが新規に設定されたと判断されると（ステップＳ８；ＹＥＳ）、中身ジョブとのリンクを設定するか否かを問い合わせる問い合わせ画面３１１ｄが表示部３１にポップアップ表示される。
図１０に問い合わせ画面３１１ｄの一例を示す。図１０に示すように、問い合わせ画面３１１ｄには、「紙種に封筒が設定されました。中身ジョブとのリンクを設定しますか」とのメッセージと、ＹＥＳボタン３１１ｅ、ＮＯボタン３１１ｆが表示されている。
【００８０】
操作部３２によりＹＥＳボタン３１１ｅが操作されると（ステップＳ１０；ＹＥＳ）、図５に示すコピー時リンク設定処理が実行され、操作部３２の操作に応じて封筒ジョブと中身ジョブにリンクが設定され（ステップＳ１１）、処理はステップＳ１２に移行する。操作部３２によりＹＥＳボタン３１１ｅが操作されると（ステップＳ１０；ＮＯ）、処理はステップＳ１２に移行する。
【００８１】
ステップＳ１２においては、操作部３２のスタートボタンが操作されたか否かが判断される。操作部３２のスタートボタンが操作されていないと判断されると（ステップＳ１２；ＮＯ）、処理はステップＳ１に移行する。操作部３２のスタートボタンが操作されたと判断されると（ステップＳ１２；ＹＥＳ）、画像読取部２０の原稿トレイに載置された原稿の画像が読み取られて画像データが取得される（ステップＳ１３）。この画像データが今回新規で入力するジョブの画像データとなる。また、このとき、今回新規で入力するジョブに対してジョブＩＤが付与され、取得された画像データがジョブＩＤに対応付けてＲＡＭ１２２に一時的に記憶される。これにより、新規のジョブの入力が完了する。
【００８２】
次いで、今回新規で入力されたジョブにリンクが設定されているか否かが判断される（ステップＳ１４）。今回新規で入力されたジョブにリンクが設定されていないと判断されると（ステップＳ１４；ＮＯ）、処理はステップＳ１６に移行する。
今回新規で入力されたジョブにリンクが設定されていると判断されると（ステップＳ１４；ＹＥＳ）、今回新規で入力されたジョブのジョブＩＤ及びリンク対象ジョブのジョブＩＤが対応付けてＲＡＭ１２２のリンク設定テーブル１２２ａに記憶され（ステップＳ１５）、処理はステップＳ１６に移行する。
【００８３】
ステップＳ１６においては、予約ジョブ登録処理が実行される。
図１１に、予約ジョブ登録処理のフローチャートを示す。本処理は、制御部１１０と不揮発メモリー１２１に記憶されているプログラムとの協働により実行される。
まず、ＲＡＭ１２２に記憶されているジョブの設定情報が参照され、予約登録するジョブが封筒ジョブであるか否かが判断される（ステップＳ２０１）。
【００８４】
予約登録するジョブが封筒ジョブであると判断されると（ステップＳ２０１；ＹＥＳ）、現在封筒定着器である第２の定着ユニット６３２が装着されているか否かが判断される（ステップＳ２０２）。封筒定着器である第２の定着ユニット６３２が装着されていると判断されると（ステップＳ２０２；ＹＥＳ）、ＲＡＭ１２２に一時記憶されている設定情報及びステップＳ１３で取得された画像データが予約ジョブとして予約ジョブ領域に登録され（ステップＳ２０３）、本処理は終了する。現在通常定着器である第１の定着ユニット６３１が装着されていると判断されると（ステップＳ２０２；ＮＯ）、ＲＡＭ１２２に一時記憶されている設定情報及びステップＳ１３で取得された画像データが一時保存ジョブとしてＲＡＭ１２２の一時保存ジョブ領域に保存され（ステップＳ２０４）、本処理は終了する。即ち、今回新規に入力されたジョブが封筒ジョブであり、現在装着されている定着ユニットが通常定着器である場合は、一時保存され、別途印刷指示されなければ印刷されない。
【００８５】
一方、予約登録するジョブが封筒ジョブではないと判断されると（ステップＳ２０１；ＮＯ）、現在封筒定着器である第２の定着ユニット６３２が装着されているか否かが判断される（ステップＳ２０５）。封筒定着器である第２の定着ユニット６３２が装着されていると判断されると（ステップＳ２０５；ＹＥＳ）、ＲＡＭ１２２に一時記憶されている設定情報及びステップＳ１３で取得された画像データが保存ジョブとしてＲＡＭ１２２の一時保存ジョブ領域に保存され（ステップＳ２０６）、本処理は終了する。現在通常定着器である第１の定着ユニット６３１が装着されていると判断されると（ステップＳ２０５；ＮＯ）、ＲＡＭ１２２に一時記憶されている設定情報及びステップＳ１３で取得された画像データが予約ジョブとして予約ジョブ領域に登録され（ステップＳ２０７）、本処理は終了する。
このように、予約ジョブ登録処理では、新規に入力されたジョブが装着されている定着ユニット６３を使用して印刷可能であるか否かを確認し、印刷不可能である場合には、ジョブをすぐに実行される予約ジョブとして登録せずに、一時保存ジョブとして保存する。
【００８６】
図３に戻り、予約ジョブ登録処理が終了すると、処理はステップＳ１に戻る。ジョブ新規登録処理は、コピーモードから他のモードへの移行が指示されるまで繰り返し実行される。
【００８７】
〔保存ジョブ操作処理〕
次に、保存ジョブ操作処理について説明する。
図１２ａ〜図１２ｂに、保存ジョブ操作処理のフローチャートを示す。本処理は、操作部３２からの一時保存ジョブリスト画面の表示指示操作に応じて制御部１１０と不揮発メモリー１２１に記憶されているプログラムとの協働により実行される。
【００８８】
まず、表示部３１に一時保存ジョブリスト画面３１３が表示される（ステップＳ２１）。
図１３ａに、一時保存ジョブリスト画面３１３の一例を示す。図１３ａに示すように、一時保存ジョブリスト画面３１２と同様に、一時保存ジョブリスト画面３１３には、ジョブ一覧表示欄３１３ａ、選択ジョブ詳細表示欄３１３ｂ、詳細表示ボタン３１３ｃ、リンク設定ボタン３１３ｄが設けられているほか、リンク対象選択ボタン３１３ｅ、削除ボタン３１３ｆ、出力ボタン３１３ｇ等が設けられている。
リンク対象選択ボタン３１３ｅは、ジョブ一覧表示欄３１３ａから選択されたジョブのリンク対象となっているジョブを選択状態にするためのボタンである。削除ボタン３１３ｆは、選択されたジョブの削除を指示するためのボタンである。出力ボタン３１３ｇは、選択されたジョブの印刷実行を指示するためのボタンである。
【００８９】
次いで、ジョブ一覧表示欄３１２ａから操作部３２によりジョブが選択されたか否かが判断される（ステップＳ２２）。ジョブが選択されていないと判断されると（ステップＳ２２；ＮＯ）、処理はステップＳ２４に移行する。
【００９０】
一方、ステップＳ２２において、ジョブが選択されたと判断されると（ステップＳ２２；ＹＥＳ）、選択されたジョブが選択状態（反転表示）とされ（ステップＳ２３）、処理はステップＳ２４に移行する。なお、ステップＳ２３においては、既に選択されているジョブが再度選択された場合は非選択状態に戻る。
【００９１】
ステップＳ２４においては、操作部３２によりリンク対象選択ボタン３１３ｅが操作されたか否かが判断される。操作部３２によりリンク対象選択ボタン３１３ｅが操作されたと判断されていないと判断されると（ステップＳ２４；ＮＯ）、処理はステップＳ２７に移行する。
【００９２】
一方、ステップＳ２４において、操作部３２によりリンク対象選択ボタン３１３ｅが操作されたと判断されると（ステップＳ２４；ＹＥＳ）、リンク設定テーブル１２２ａが参照され、選択状態のジョブにリンクが設定されているか否かが判断される（ステップＳ２５）。選択状態のジョブにリンクが設定されていないと判断されると（ステップＳ２５；ＮＯ）、処理はステップＳ２７に移行する。選択されているジョブにリンクが設定されていると判断されると（ステップＳ２５；ＹＥＳ）、選択されているジョブのリンク対象ジョブが選択状態とされ（ステップＳ２６）、処理はステップＳ２７に移行する。なお、選択状態のジョブが複数存在する場合は、それぞれのジョブのリンク対象ジョブの全てが選択状態とされる。これにより、選択されたジョブに対してリンクが設定されているジョブをユーザーが容易に識別することが可能となる。
【００９３】
ステップＳ２７においては、操作部３２により詳細表示ボタン３１３ｃが操作されたか否かが判断される（ステップＳ２７）。操作部３２により詳細表示ボタン３１３ｃが操作されていないと判断されると（ステップＳ２７；ＮＯ）、処理はステップＳ２９に移行する。操作部３２により詳細表示ボタン３１３ｃが操作されたと判断されると（ステップＳ２７；ＹＥＳ）、選択されたジョブの設定、ページ構成、印刷状況等の詳細が選択ジョブ詳細表示欄３１３ｂに表示され（ステップＳ２８）、処理はステップＳ２９に移行する。なお、複数のジョブが選択状態となっている場合には、図１３ｂに示すように、選択状態のジョブのＩＤが表示されたポップアップ画面３１３ｈが一時保存ジョブリスト画面３１２上に表示され、表示されたジョブＩＤのうち、選択されたジョブＩＤのジョブの詳細情報が選択ジョブ詳細表示欄３１３ｂに表示される。
【００９４】
ステップＳ２９においては、操作部３２によりリンク設定ボタン３１３ｄが操作されたか否かが判断される（ステップＳ２９）。リンク設定ボタン３１３ｄが操作されていないと判断されると（ステップＳ２９；ＮＯ）、処理はステップＳ３１に移行する。リンク設定ボタン３１３ｄが操作されたと判断されると（ステップＳ２９；ＹＥＳ）、リンク設定テーブル１２２ａが更新され（ステップＳ３０）、処理はステップＳ３１に移行する。ステップＳ３０においては、今回新規にリンクが設定されるジョブについての既存のリンクは全て解除され、新たにリンク設定が指示された内容に更新される。リンク解除する際には、印刷済みのジョブは削除してもよい。また、ステップＳ２９がＹＥＳの場合は、封筒ジョブと中身ジョブがリンク設定されたか否かを判断し、封筒ジョブと中身ジョブがリンク設定された場合には図８の封筒ジョブ枚数と中身ジョブ部数の連動処理を実行することが好ましい。
【００９５】
ステップＳ３１においては、操作部３２により削除ボタン３１３ｆが操作されたか否かが判断される（ステップＳ３１）。操作部３２により削除ボタン３１３ｆが操作されていないと判断されると（ステップＳ３１；ＮＯ）、処理はステップＳ３７に移行する。
【００９６】
一方、ステップＳ３１において、操作部３２により削除ボタン３１３ｆが操作されたと判断されると（ステップＳ３１；ＹＥＳ）、リンク設定テーブル１２２ａが参照され、選択状態のジョブにリンクが設定されているか否かが判断される（ステップＳ３２）。選択状態のジョブにリンクが設定されていないと判断されると（ステップＳ３２；ＮＯ）、選択状態のジョブがＲＡＭ１２２の一時保存ジョブ領域から削除され（ステップＳ３６）、処理はステップＳ３７に移行する。選択状態のジョブにリンクが設定されていると判断されると（ステップＳ３２；ＹＥＳ）、表示部３１にリンクが設定されていることを示す警告画面がポップアップ表示される（ステップＳ３３）。警告画面には、例えば、「選択されたジョブにはリンクが設定されています。削除を続行しますか」等のメッセージと、ＯＫボタン、キャンセルボタンが表示される。操作部３２により警告画面上からＯＫボタンが操作されると（ステップＳ３４；ＯＫ）、リンク設定テーブル１２２ａから選択状態のジョブのジョブＩＤが削除され（ステップＳ３５）、ＲＡＭ１２２の一時保存ジョブ領域から選択状態のジョブが削除され（ステップＳ３６）、処理はステップＳ３７に移行する。即ち、選択状態のジョブに対するリンク情報のレコードが削除されるとともに、他のジョブのリンク対象ジョブの欄からジョブＩＤが削除される。操作部３２により警告画面上からキャンセルボタンが押下されたと判断されると（ステップＳ３４；キャンセル）、処理はステップＳ３７に移行する。
【００９７】
ステップＳ３７においては、操作部３２により出力ボタン３１３ｇが操作されたか否かが判断される（ステップＳ３７）。操作部３２により出力ボタン３１３ｇが操作されていないと判断されると（ステップＳ３７；ＮＯ）、処理はステップＳ４３に移行する。
【００９８】
一方、ステップＳ３７において、操作部３２により出力ボタン３１３ｇが操作されたと判断されると（ステップＳ３７；ＹＥＳ）、選択状態のジョブがＲＡＭ１２２の予約ジョブ領域に登録される（ステップＳ３８）。ステップＳ３８においては、選択状態のジョブに対して、図１１の予約ジョブ登録処理と同様の判断を行って予約することが好ましい。即ち、登録するジョブが封筒ジョブの場合、装着されている定着ユニット６３が第２の定着ユニット６３２である場合は、ＲＡＭ１２２の予約ジョブ領域に登録される。装着されている定着ユニット６３が第１の定着ユニット６３１である場合は、予約登録は行われない。登録するジョブが封筒ジョブではない場合、装着されている定着ユニット６３が第１の定着ユニット６３１である場合は、ＲＡＭ１２２の予約ジョブ領域に登録される。装着されている定着ユニット６３が第２の定着ユニット６３２である場合は、予約登録は行われない。予約登録が行われない場合、定着ユニットの交換を促す警告を表示部３１に表示することが好ましい。なお、予約ジョブ領域に登録されたジョブは一時保存ジョブ領域からは削除される。
【００９９】
次いで、リンク設定テーブル１２２ａが参照され、未印刷のリンク対象ジョブが有るか否かが判断される（ステップＳ３９）。未印刷のリンク対象ジョブがないと判断されると（ステップＳ３９；ＮＯ）、処理はステップＳ４３に移行する。未印刷のリンク対象ジョブがあると判断されると（ステップＳ３９；ＹＥＳ）、表示部３１に未印刷のリンク対象ジョブを印刷するか否かを問い合わせる画面がポップアップ表示される（ステップＳ４０）。ステップＳ４０で表示される問い合わせ画面には、例えば、「未印刷のリンク対象ジョブがあります。印刷しますか」等のメッセージと、ＹＥＳボタン、ＮＯボタンが表示される。操作部３２により当該画面上からＮＯボタンが操作されると（ステップＳ４１；ＮＯ）、処理はステップＳ４３に移行する。ＹＥＳボタンが操作されると（ステップＳ４１；ＹＥＳ）、未印刷のリンク対象ジョブがＲＡＭ１２２の予約ジョブ領域に登録され（ステップＳ４２）、処理はステップＳ４３に移行する。なお、予約ジョブ領域に登録されたジョブは一時保存ジョブ領域からは削除される。
【０１００】
ステップＳ４３においては、操作部３２により一時保存ジョブ画面１３３上からその他の操作が行われたか否かが判断される。その他の操作が行われていないと判断されると（ステップＳ４３；ＮＯ）、処理はステップＳ２２に戻る。その他の操作が行われたと判断されると（ステップＳ４３；ＹＥＳ）、操作に応じた処理が実行され（ステップＳ４４）、処理はステップＳ２２に戻る。
この保存ジョブ操作処理は、保存ジョブリスト画面１３３から他の画面への移行が指示されるまで繰り返し実行される。
【０１０１】
〔印刷処理〕
次に、予約登録されたジョブを印刷する処理について説明する。
図１４に、印刷処理のフローチャートを示す。本処理は、制御部１１０と不揮発メモリー１２１に記憶されているプログラムとの協働により実行される。
【０１０２】
まず、ＲＡＭ１２２の予約ジョブ領域が参照され、予約ジョブが存在するか否かが判断される（ステップＳ５１）。予約ジョブが存在すると判断されると（ステップＳ５１；ＹＥＳ）、プリント部４０により当該ジョブに基づいて印刷が実行される（ステップＳ５２）。
【０１０３】
次いで、印刷が実行されたジョブの保存フラグが１に設定されているか否かが判断される（ステップＳ５３）。印刷が実行されたジョブの保存フラグが１に設定されていないと判断されると（ステップＳ５３；ＮＯ）、処理はステップＳ５５に移行する。印刷が実行されたジョブの保存フラグが１に設定されていると判断されると（ステップＳ５３；ＹＥＳ）、当該ジョブがＲＡＭ１２２の一時保存ジョブ領域に保存され（ステップＳ５４）、処理はステップＳ５５に移行する。
【０１０４】
ステップＳ５５においては、リンク設定テーブル１２２ａにおける印刷されたジョブのステータスが「印刷済み」に設定される。そして、この印刷されたジョブにリンクが設定されているか否かが判断される（ステップＳ５６）。この印刷されたジョブにリンクが設定されていないと判断されると（ステップＳ５６；ＮＯ）、処理はステップＳ５１に戻る。この印刷されたジョブにリンクが設定されていると判断されると（ステップＳ５６；ＹＥＳ）、当該ジョブがＲＡＭ１２２の一時ジョブ保存領域に保存される（ステップＳ５７）。そして、ポップアップ操作処理が実行される（ステップＳ５８）。
【０１０５】
図１５に、ステップＳ５８において実行されるポップアップ操作処理のフローチャートを示す。本処理は、制御部１１０と不揮発メモリー１２１に記憶されているプログラムとの協働により実行される。
【０１０６】
まず、表示部３１に印刷完了を通知するポップアップ画面３１４がポップアップ表示される（ステップＳ３０１）。
図１６に、ポップアップ画面３１４の一例を示す。図１６に示すように、ポップアップ画面３１４には、「下記ジョブの印刷が完了しました。」というメッセージとともに、印刷完了ジョブ名、及び詳細ボタン３１４ａが表示される。詳細ボタン３１４ａは、印刷が完了したジョブの詳細情報（ジョブの印刷条件の設定、ページ構成等）の表示を指示するためのボタンである。
また、ポップアップ画面３１４には、「上記ジョブとリンクするジョブは以下のとおりです。」というメッセージとともに、未印刷のジョブ名の一覧と、ジョブ名の一覧から選択されたジョブの詳細情報の表示を指示するための詳細ボタン３１４ｂと、ジョブ名の一覧から選択されたジョブの印刷を指示するための印刷ボタン３１４ｃと、ジョブ名の一覧から選択されたジョブの削除を指示するための削除ボタン３１４ｄと、が表示される。また、リンク設定テーブル１２２ａにおける印刷を完了したジョブの全てのリンク対象ジョブのステータスが印刷済みであった場合、「次の印刷に備えて未印刷にしますか」というメッセージとともに、印刷が完了したジョブのステータスを未印刷にする指示を行うための「未印刷に変更」ボタン３１４ｅが表示される。また、ポップアップ画面３１４を閉じる指示を行うための閉じるボタン３１４ｆが表示される。
【０１０７】
次いで、操作部３２によりポップアップ画面３１４から詳細ボタン３１４ａ又は３１４ｂが操作されたか否かが判断される（ステップＳ３０２）。ポップアップ画面３１４から詳細ボタン３１４ａ又は３１４ｂの何れも操作されていないと判断されると（ステップＳ３０２；ＮＯ）、処理はステップＳ３０４に移行する。詳細ボタン３１４ａ又は３１４ｂが操作されたと判断されると（ステップＳ３０２；ＹＥＳ）、詳細ボタン３１４ａが操作された場合には、印刷が完了したジョブの詳細情報が表示部３１にポップアップ表示され、詳細ボタン３１４ｂが操作された場合には、選択されたリンク対象ジョブの詳細情報が表示部３１にポップアップ表示され（ステップＳ３０３）、処理はステップＳ３１１に移行する。
【０１０８】
ステップＳ３０４においては、操作部３２により印刷ボタン３１４ｃが操作されたか否かが判断される（ステップＳ３０４）。操作部３２により印刷ボタン２１４ｃが操作されていないと判断されると（ステップＳ３０４；ＮＯ）、処理はステップＳ３０６に移行する。
操作部３２により印刷ボタン２１４ｃが操作されたと判断されると（ステップＳ３０４；ＹＥＳ）、選択されたリンク対象ジョブがＲＡＭ１２２の予約ジョブ領域に登録され（ステップＳ３０５）、処理はステップＳ３１１に移行する。なお、印刷が完了したジョブのリンク対象ジョブ全てをまとめて予約ジョブ領域に登録してもよい。ステップＳ３０５においては、選択状態のジョブに対して、図１１の予約登録処理と同様の判断を行って予約することが好ましい。即ち、登録するジョブが封筒ジョブの場合、装着されている定着ユニット６３が第２の定着ユニット６３２である場合は、ＲＡＭ１２２の予約ジョブ領域に登録される。装着されている定着ユニット６３が第１の定着ユニット６３１である場合は、予約登録は行われない。登録するジョブが封筒ジョブではない場合、装着されている定着ユニット６３が第１の定着ユニット６３１である場合は、ＲＡＭ１２２の予約ジョブ領域に登録される。装着されている定着ユニット６３が第２の定着ユニット６３２である場合は、予約登録は行われない。予約登録が行われない場合、定着ユニットの交換を促す警告を表示部３１に表示することが好ましい。なお、予約ジョブ領域に登録されたジョブは一時保存ジョブ領域からは削除される。
【０１０９】
ステップＳ３０６においては、操作部３２により削除ボタン３１４ｄが操作されたか否かが判断される（ステップＳ３０６）。削除ボタン３１４ｄが操作されていないと判断されると（ステップＳ３０６；ＮＯ）、処理はステップＳ３０９に移行する。
操作部３２により削除ボタン３１４ｄが操作されたと判断されると（ステップＳ３０６；ＹＥＳ）、選択されたリンク対象ジョブがＲＡＭ１２２の一時保存ジョブ領域から削除される（ステップＳ３０７）。また、選択されたリンク対象ジョブ（削除対象ジョブ）に対するリンク情報のレコードが削除されるとともに、他のジョブのリンク対象ジョブの欄から削除対象ジョブのジョブＩＤが削除される（ステップＳ３０８）。そして、処理はステップＳ３１１に移行する。
【０１１０】
ステップＳ３０９においては、操作部３２により「未印刷に変更」ボタン３１４ｅが操作されたか否かが判断される（ステップＳ３０９）。「未印刷に変更」ボタン３１４ｅが操作されていないと判断されると（ステップＳ３０９；ＮＯ）、処理はステップＳ３１１に移行する。操作部３２により「未印刷に変更」ボタン３１４ｅが操作されたと判断されると（ステップＳ３０９；ＹＥＳ）、リンク設定テーブル１２２ａにおける印刷完了ジョブ及びそのリンク対象ジョブのステータスが全て未印刷に変更され（ステップＳ３１０）、処理はステップＳ３１１に移行する。
【０１１１】
ステップＳ３１１においては、操作部３２により閉じるボタン３１４ｆが操作されたか否かが判断される（ステップＳ３１１）。閉じるボタン３１４ｆが操作されていないと判断されると（ステップＳ３１１；ＮＯ）、処理はステップＳ３０２に戻る。閉じるボタン３１４ｆが操作されたと判断されると（ステップＳ３１１；ＹＥＳ）、ポップアップ画面３１４は閉じられ（ステップＳ３１２）、処理は図１４のステップＳ５１に戻る。
【０１１２】
〔定着ユニット交換時処理〕  
次に、定着ユニット６３の交換が検知された際に実行されるユニット交換時処理について説明する。
図１７に、ユニット交換時処理のフローチャートを示す。本処理は、制御部１１０と不揮発メモリー１２１に記憶されているプログラムとの協働により実行される。
【０１１３】
まず、封筒定着器である第２の定着ユニット６３２が装着されたか否かが判断される（ステップＳ６１）。第２の定着ユニット６３２が装着されたと判断されると（ステップＳ６１；ＹＥＳ）、リンク設定テーブル１２２ａ、及びＲＡＭ１２２の一時保存ジョブ領域に保存されているジョブの設定情報が参照され、未印刷かつリンクが設定された封筒ジョブが存在するか否かが判断される（ステップＳ６２）。未印刷かつリンクが設定された封筒ジョブが存在しないと判断されると（ステップＳ６２；ＮＯ）、本処理は終了する。
【０１１４】
未印刷かつリンクが設定された封筒ジョブが存在すると判断されると（ステップＳ６２；ＹＥＳ）、その封筒ジョブにリンクされたジョブは全て印刷済みであるか否かが判断される（ステップＳ６３）。その封筒ジョブにリンクされたジョブの全てが印刷済みではない（印刷されていないジョブがある）と判断されると（ステップＳ６３；ＮＯ）、本処理は終了する。その封筒ジョブにリンクされたジョブは全て印刷済みであると判断されると（ステップＳ６３；ＹＥＳ）、表示部３１に、その封筒ジョブの印刷を行うか否かを問い合わせるための問い合わせ画面３１５がポップアップ表示される（ステップＳ６４）。
【０１１５】
図１８に、問い合わせ画面３１５の一例を示す。図１８に示すように、問い合わせ画面３１５には、「封筒定着器への交換を検知しました」との封筒定着器に交換されたことをユーザーに通知するためのメッセージと、リンクされたジョブが全て印刷済みの、未印刷の封筒ジョブを実行するか否かを問い合わせるメッセージが表示される。また、該当する未印刷のジョブの詳細情報の表示を指示するための詳細ボタン３１５ａと、印刷を実行する指示を入力するためのＯＫボタン３１５ｂと、印刷を実行しない指示を入力するためのキャンセルボタン３１５ｃが表示されている。操作部３２により詳細ボタン３１５ａが操作されると、未印刷の封筒ジョブであって、リンクされたジョブが全て印刷済みのジョブの詳細情報がリスト表示される。
【０１１６】
操作部３２により問い合わせ画面３１５からキャンセルボタン３１５ｃが操作されると（ステップＳ６５；キャンセル）、本処理は終了する。
操作部３２により問い合わせ画面３１５からＯＫボタン３１５ｂが操作されると（ステップＳ６５；ＯＫ）、未印刷かつ他のリンクされたジョブの全てが印刷完了している封筒ジョブの印刷が実行され（ステップＳ６６）、本処理は終了する。
【０１１７】
一方、ステップＳ６１において、第２の定着ユニット６３２が装着されていない（通常定着器である第１の定着ユニット６３１が装着された）と判断されると（ステップＳ６１；ＮＯ）、リンク設定テーブル１２２ａ、及びＲＡＭ１２２の一時保存ジョブ領域に保存されているジョブの設定情報が参照され、未印刷かつリンクが設定された中身ジョブが存在するか否かが判断される（ステップＳ６７）。未印刷かつリンクが設定された中身ジョブが存在しないと判断されると（ステップＳ６７；ＮＯ）、本処理は終了する。
【０１１８】
未印刷かつリンクが設定された中身ジョブが存在すると判断されると（ステップＳ６７；ＹＥＳ）、その中身ジョブにリンクされたジョブは全て印刷済みであるか否かが判断される（ステップＳ６８）。その中身ジョブにリンクされたジョブの全てが印刷済みではない（印刷されていないジョブがある）と判断されると（ステップＳ６８；ＮＯ）、本処理は終了する。その中身ジョブにリンクされたジョブは全て印刷済みであると判断されると（ステップＳ６８；ＹＥＳ）、表示部３１に、これらの中身ジョブの印刷を行うか否かを問い合わせるための問い合わせ画面がポップアップ表示される（ステップＳ６９）。
ステップＳ６９で表示される問い合わせ画面は、図１８に示す問い合わせ画面３１５と表示される項目は同様である。即ち、「通常定着器への交換を検知しました」との通常定着器に交換されたことをユーザーに通知するためのメッセージと、リンクされたジョブが全て印刷済みの、未印刷の中身ジョブを実行するか否かを問い合わせるメッセージが表示される。また、該当する未印刷のジョブの詳細情報の表示を指示するための詳細ボタンと、印刷を実行する指示を入力するためのＯＫボタンと、印刷を実行しない指示を入力するためのキャンセルボタンが表示される。操作部３２により詳細ボタンが操作されると、未印刷の中身ジョブであって、リンクされたジョブが全て印刷済みのジョブの詳細情報がリスト表示される。
【０１１９】
操作部３２により、ステップＳ６９において表示された問い合わせ画面のキャンセルボタンが操作されると（ステップＳ７０；キャンセル）、本処理は終了する。
操作部３２により、ステップＳ６９において表示された問い合わせ画面のＯＫボタンが操作されると（ステップＳ７０；ＯＫ）、未印刷かつ他のリンクされたジョブの全てが印刷完了している中身ジョブの印刷が実行され（ステップＳ７１）、本処理は終了する。
【０１２０】
以上説明したように、画像形成装置１によれば、制御部１１０は、新規入力されるジョブとＲＡＭ１２２の一時保存ジョブ領域に保存されているジョブ、又は一時保存ジョブ領域に保存されているジョブ同士を個々に独立したジョブのまま互いに関連付け、ジョブの関連付けを示すリンク情報をリンク設定テーブル１２２ａに記憶し、この記憶されたリンク情報に基づいて所定の動作制御を行う。
従って、複数のジョブを関連するジョブとして容易に管理することが可能となる。
【０１２１】
例えば、制御部１１０は、関連付けられたジョブをまとめてプリント部４０により印刷させる。従って、ユーザーは、セット印刷に係る各ジョブについて個々にジョブの実行を指示する必要がなくなり、利便性が向上する。また、印刷漏れを防止することができる。
【０１２２】
また、制御部１１０は、ＲＡＭ１２２の一時保存ジョブ領域に保存されたジョブの一覧である一時保存ジョブリストを表示部３１に表示させ、表示された一時保存ジョブリストから操作部３２によりジョブが選択されると、操作部３２からの指示に応じて、選択されたジョブに関連付けられたジョブを識別可能に表示部３１に表示させる。
従って、ユーザーは、一時保存ジョブリストから選択されたジョブに関連付けられたジョブを容易に認識することができる。
【０１２３】
また、制御部１１０は、一時保存ジョブリストから選択されたジョブに関連付けられたジョブの印刷状況を表示部３１に表示させることができる。従って、ユーザーは、一時保存ジョブリストから選択されたジョブに関連付けられたジョブの印刷状況を容易に把握することができる。
【０１２４】
また、制御部１１０は、一時保存ジョブリストから操作部３２により選択されたジョブに関連付けられたジョブを、操作部３２からの指示に応じてまとめて予約登録し、プリント部４０にまとめて印刷させることができる。従って、ユーザーは、セット印刷に係る各ジョブについて個々にジョブの実行を指示する必要がなくなり、利便性が向上する。また、印刷漏れを防止することができる。
【０１２５】
また、制御部１１０は、新規に入力されたジョブ又は一時保存ジョブ領域に保存されたジョブに基づく印刷時（印刷完了時）に、印刷対象のジョブに関連付けられたジョブの印刷を促す表示を表示部３１に表示させる。従って、セット印刷などの場合に、印刷漏れを防止することができる。
【０１２６】
また、関連付けられたジョブに対し個々に独立して印刷条件を設定できるので、印刷条件が異なるジョブを関連付けることができる。
【０１２７】
また、例えば、封筒ジョブの印刷枚数と中身ジョブの出力部数のように、関連付けられたジョブのうちの一のジョブに設定された印刷条件に連動して他のジョブの印刷条件を設定することができるので、印刷条件を連動させるべき複数のジョブ間で印刷条件を一致させることができる。
【０１２８】
また、制御部１１０は、操作部３２により一時保存ジョブ領域に保存された何れかのジョブの削除が指示された場合、当該削除対象のジョブに関連付けられたジョブがある場合には、警告を出力する。従って、ユーザーは、関連付けられたジョブがある状態で削除をすべきか否かを再度確認することが可能となる。
【０１２９】
例えば、画像形成装置１は、システム構成の変更が可能に構成され、制御部１１０は、第１のシステム構成で印刷可能なジョブと第２のシステム構成で印刷可能なジョブとを関連付けることができる。第１のシステム構成と第２のシステム構成は、例えば、封筒用定着器を装着したシステムと、封筒とは異なる用紙用の定着器を装着したシステムである。
第１のシステム構成から第２のシステム構成に変更されたとき、第２のシステム構成で印刷可能なジョブのうち、そのジョブに関連付けられている第１のシステム構成で印刷可能な全てのジョブの印刷が完了しているジョブの印刷を促す表示を表示部３１に表示させることで、ユーザーはそのシステム構成で印刷すれば完了するセット印刷を漏れなく実施することが可能となる。
【０１３０】
なお、上記実施の形態における記述は、本発明に係る画像形成装置の好適な一例を示すものであり、これに限定されるものではない。
【０１３１】
例えば、本発明の上記実施の形態においては、第１のシステム構成と第２のシステム構成の例として、それぞれ封筒とは異なる用紙用と封筒用の定着ユニットを装着した場合を例にとり説明したが、これに限定されない。例えば、大量に同一サイズ（例えば、Ａ４サイズ）を印刷した後、そのサイズよりも大きいサイズ（例えば、Ａ３サイズ）を印刷すると、前ジョブ（上記のＡ４サイズ）の紙エッジの跡が大きいサイズの画像上にスジのように残ってしまう定着スジといわれる現象が起こることが知られている。これに対応するため、画像形成装置１において、小さい紙サイズ用（例えば、Ａ４サイズ）の定着ユニットと大きい紙サイズ用（例えば、Ａ３）サイズ用を装着可能とし、小さいサイズ用の定着ユニットを装着したシステム構成と大きいサイズ用の定着ユニットを装着したシステム構成が可能である場合にも、本発明を適用可能である。
【０１３２】
また、上記の説明では、本発明に係るプログラムのコンピュータ読み取り可能な媒体として、ＲＯＭ、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【０１３３】
その他、画像形成装置１の細部構成及び細部動作に関しても、本発明の趣旨を逸脱することのない範囲で適宜変更可能である。
【符号の説明】
【０１３４】
１  画像形成装置
１ａ  本体部
１ｂ  プリンタコントローラー
２  外部装置
３  ネットワーク
１１  コントローラー制御部
１２  ＤＲＡＭ制御ＩＣ
１３  画像メモリー
１４  ＬＡＮＩＦ
２０  画像読取部
２１  スキャナー
３０  操作表示部
３１  表示部
３１１  コピー設定画面
３１２  一時保存ジョブリスト画面
３１３  一時保存ジョブリスト画面
３２  操作部
４０  プリント部
４１  プリンタエンジン
６３  定着ユニット
６３１  第１の定着ユニット
６３２  第２の定着ユニット
６３ａ  ポート
１００  画像制御基板
１１０  制御部
１２１  不揮発メモリー
１２２  ＲＡＭ
１２２ａ  リンク設定テーブル
１３０  ＨＤＤ
１４０  読取処理部
１５０  圧縮ＩＣ
１６０  ＤＲＡＭ制御ＩＣ
１７０  画像メモリー
１７１  圧縮メモリー
１７２  ページメモリー
１８０  伸張ＩＣ
１９０  書込処理部
２００  画像読取制御部
３００  操作表示制御部
４００  プリント制御部
【図１】
0005494609.tif 000002
【図２】
0005494609.tif 000003
【図３】
0005494609.tif 000004
【図４】
0005494609.tif 000005
【図５】
0005494609.tif 000006
【図６】
0005494609.tif 000007
【図７】
0005494609.tif 000008
【図８】
0005494609.tif 000009
【図９ａ】
0005494609.tif 000010
【図９ｂ】
0005494609.tif 000011
【図１０】
0005494609.tif 000012
【図１１】
0005494609.tif 000013
【図１２ａ】
0005494609.tif 000014
【図１２ｂ】
0005494609.tif 000015
【図１３ａ】
0005494609.tif 000016
【図１３ｂ】
0005494609.tif 000017
【図１４】
0005494609.tif 000018
【図１５】
0005494609.tif 000019
【図１６】
0005494609.tif 000020
【図１７】
0005494609.tif 000021
【図１８】
0005494609.tif 000022